【手続補正書】
【提出日】平成21年1月16日(2009.1.16)
【手続補正１】
【補正対象書類名】特許請求の範囲
【補正対象項目名】全文
【補正方法】変更
【補正の内容】
【特許請求の範囲】
【請求項１】
第一のネットワーク識別子と第二のネットワーク識別子を用いて他の通信装置と通信する通信装置であって、
報知信号の送信を開始することによってネットワークを形成する形成手段と、
前記形成手段によりネットワークを形成後、周囲に存在するネットワークを検出する検出手段と、
前記検出手段により検出したネットワークの第一のネットワーク識別子と第二のネットワーク識別子を判別する判別手段と、
前記判別手段により判別した前記第一、第二のネットワーク識別子と、前記形成手段により前記通信装置が形成したネットワークの第一、第二のネットワーク識別子と、を比較する比較手段と、
前記比較手段による比較結果に応じて、前記検出したネットワークに参加する手段と、
を有することを特徴とする通信装置。
【請求項２】
前記比較手段による比較の結果、前記判別手段により判別した前記第一のネットワーク識別子と前記形成手段により前記通信装置が形成したネットワークの第一のネットワーク識別子とが同一であり、前記判別手段により判別した前記第二のネットワーク識別子と前記形成手段により前記通信装置が形成したネットワークの第二のネットワーク識別子とが異なる場合に、前記検出したネットワークへ参加することを特徴とする請求項１記載の通信装置。
【請求項３】
前記比較手段による比較の結果、前記判別手段により判別した前記第一のネットワーク識別子と前記形成手段により前記通信装置が形成したネットワークの第一のネットワーク識別子とが同一であり、前記判別手段により判別した前記第二のネットワーク識別子と前記形成手段により前記通信装置が形成したネットワークの第二のネットワーク識別子とが異なる場合に、前記判別した前記第二のネットワーク識別子と、前記通信装置が形成したネットワークの前記第二のネットワーク識別子と、の関係を判定する判定手段を備え、
前記判定手段による判定に応じて、前記検出したネットワークへ参加することを特徴とする請求項１記載の通信装置。
【請求項４】
前記判定手段による判定に応じて、前記形成手段により前記通信装置が形成したネットワークに他の通信装置が参加したことを確認する手段を有することを特徴とする請求項３記載の通信装置。
【請求項５】
前記通信装置が参加したネットワークに他の通信装置が属していることを確認する手段を更に有することを特徴とする請求項１から４のいずれか１項に記載の通信装置。
【請求項６】
前記形成手段は、前記通信装置に設定された第一のネットワーク識別子を用いてネットワークを形成することを特徴とする請求項１から５のいずれか１項に記載の通信装置。
【請求項７】
前記形成手段は、通信相手の種別に応じて、ネットワークを形成することを特徴とする請求項６記載の通信装置。
【請求項８】
前記設定された第一のネットワーク識別子を有するネットワークを検索する検索手段を有し、
前記形成手段は、前記検索手段による検索結果に基づいて、ネットワークを形成することを特徴とする請求項６又は７記載の通信装置。
【請求項９】
前記第一のネットワーク識別子は、前記通信装置に予め設定されていることを特徴とする請求項１から８のいずれか１項に記載の通信装置。
【請求項１０】
前記第二のネットワーク識別子は、ネットワークを形成する通信装置により生成されることを特徴とする請求項１から９のいずれか１項に記載の通信装置。
【請求項１１】
前記第二のネットワーク識別子は、ネットワークを形成する通信装置が、ネットワーク形成の際に生成することを特徴とする請求項１から１０のいずれか１項に記載の通信装置。
【請求項１２】
ネットワーク識別子を用いて他の通信装置と通信する通信装置であって、
周囲に存在するネットワークを検出する検出手段と、
前記検出手段により検出したネットワークのネットワーク識別子と、前記通信装置が属するネットワークのネットワーク識別子を比較する比較手段と、
前記比較手段による比較結果に応じて、前記通信装置が属するネットワークによる通信を終了し、前記検出したネットワークに参加する手段と、
を有することを特徴とする通信装置。
【請求項１３】
第一の通信装置及び第二の通信装置に設定された第一のネットワーク識別子を用いて通信を行う通信システムにおいて、
前記第一の通信装置は、
報知信号の送信を開始することによってネットワークを形成する形成手段と、
前記形成手段によりネットワークを形成後、前記第二の通信装置が属するネットワークを検出する検出手段と、
前記検出手段により検出したネットワークの第二のネットワーク識別子と前記形成手段により形成したネットワークの第二のネットワーク識別子とを比較する比較手段と、を有し、
前記比較手段による比較結果に基づいて、前記第一の通信装置と前記第二の通信装置とが同一のネットワークに参加することを特徴とする通信システム。
【請求項１４】
前記第一の通信装置と前記第二の通信装置とが同一のネットワークに参加したことを確認する手段と、
前記確認後に前記第一の通信装置は前記第二の通信装置の情報を登録する登録手段と、を有することを特徴とする請求項１３記載の通信システム。
【請求項１５】
前記登録手段により登録する情報は、前記第二の通信装置が形成するネットワークのネットワーク識別子を含むことを特徴とする請求項１４記載の通信システム。
【請求項１６】
複数の通信装置がネットワークを構成する方法であって、
第一の通信装置が形成したネットワークに第二の通信装置が参加することによりネットワークを構成する第一の工程と、
前記第２の通信装置が形成したネットワークに前記第一の通信装置が参加することによりネットワークを構成する第２の工程と、を有し、
前記第一の工程と前記第二の工程の、どちらの工程によってネットワークを構成するかを、ネットワークを構成する通信装置の種別に応じて、選択的に実行することを特徴とするネットワークの構成方法。
【請求項１７】
第一のネットワーク識別子と第二のネットワーク識別子を用いて他の通信装置と通信する通信方法であって、
報知信号の送信を開始することによってネットワークを形成する形成工程と、
前記形成工程においてネットワークを形成後、周囲に存在するネットワークを検出する検出工程と、
前記検出工程において検出したネットワークの第一のネットワーク識別子と第二のネットワーク識別子とを判別する判別工程と、
前記判別工程において判別した前記第一、第二のネットワーク識別子と、前記形成工程において形成されたネットワークの第一、第二のネットワーク識別子と、を比較する比較工程と、
前記比較工程における比較結果に応じて、前記検出したネットワークに参加する工程と、
を有することを特徴とする通信方法。
【請求項１８】
請求項１６又は１７記載の通信方法をコンピュータに実行させるためのプログラム。
【手続補正２】
【補正対象書類名】明細書
【補正対象項目名】発明の名称
【補正方法】変更
【補正の内容】
【発明の名称】通信装置、通信方法、ネットワークを構成する方法、通信システム
【手続補正３】
【補正対象書類名】明細書
【補正対象項目名】０００１
【補正方法】変更
【補正の内容】
【０００１】
本発明は通信装置、通信方法、ネットワークを構成する方法、通信システムに関する。
【手続補正４】
【補正対象書類名】明細書
【補正対象項目名】０００９
【補正方法】変更
【補正の内容】
【０００９】
本発明は、同一のネットワークに参加することを意図した複数の通信装置が、異なるネットワークを形成してしまった場合でも、同一のネットワークを構成できるようにすることを目的とする。
【手続補正５】
【補正対象書類名】明細書
【補正対象項目名】００１０
【補正方法】変更
【補正の内容】
【００１０】
本発明は、第一のネットワーク識別子と第二のネットワーク識別子を用いて他の通信装置と通信する通信装置であって、報知信号の送信を開始することによってネットワークを形成する形成手段と、前記形成手段によりネットワークを形成後、周囲に存在するネットワークを検出する検出手段と、前記検出手段により検出したネットワークの第一のネットワーク識別子と第二のネットワーク識別子を判別する判別手段と、前記判別手段により判別した前記第一、第二のネットワーク識別子と、前記形成手段により前記通信装置が形成したネットワークの第一、第二のネットワーク識別子と、を比較する比較手段と、前記比較手段による比較結果に応じて、前記検出したネットワークに参加する手段と、を有することを特徴とする通信装置。
【手続補正６】
【補正対象書類名】明細書
【補正対象項目名】００１１
【補正方法】変更
【補正の内容】
【００１１】
また、本発明は、ネットワーク識別子を用いて他の通信装置と通信する通信装置であって、
周囲に存在するネットワークを検出する検出手段と、前記検出手段により検出したネットワークのネットワーク識別子と、前記通信装置が属するネットワークのネットワーク識別子を比較する比較手段と、前記比較手段による比較結果に応じて、前記通信装置が属するネットワークによる通信を終了し、前記検出したネットワークに参加する手段と、を有することを特徴とする。
【手続補正７】
【補正対象書類名】明細書
【補正対象項目名】００１２
【補正方法】変更
【補正の内容】
【００１２】
さらにまた、本発明は、第一の通信装置及び第二の通信装置に設定された第一のネットワーク識別子を用いて通信を行う通信システムにおいて、前記第一の通信装置は、報知信号の送信を開始することによってネットワークを形成する形成手段と、前記形成手段によりネットワークを形成後、前記第二の通信装置が属するネットワークを検出する検出手段と、
前記検出手段により検出したネットワークの第二のネットワーク識別子と前記形成手段により形成したネットワークの第二のネットワーク識別子とを比較する比較手段と、を有し、前記比較手段による比較結果に基づいて、前記第一の通信装置と前記第二の通信装置とが同一のネットワークに参加することを特徴とする。
【手続補正８】
【補正対象書類名】明細書
【補正対象項目名】００１３
【補正方法】変更
【補正の内容】
【００１３】
さらにまた、本発明は、複数の通信装置がネットワークを構成する方法であって、第一の通信装置が形成したネットワークに第二の通信装置が参加することによりネットワークを構成する第一の工程と、前記第２の通信装置が形成したネットワークに前記第一の通信装置が参加することによりネットワークを構成する第２の工程と、を有し、前記第一の工程と前記第二の工程の、どちらの工程によってネットワークを構成するかを、ネットワークを構成する通信装置の種別に応じて、選択的に実行することを特徴とする。
【手続補正９】
【補正対象書類名】明細書
【補正対象項目名】００１４
【補正方法】変更
【補正の内容】
【００１４】
さらにまた、本発明は、第一のネットワーク識別子と第二のネットワーク識別子を用いて他の通信装置と通信する通信方法であって、報知信号の送信を開始することによってネットワークを形成する形成工程と、前記形成工程においてネットワークを形成後、周囲に存在するネットワークを検出する検出工程と、前記検出工程において検出したネットワークの第一のネットワーク識別子と第二のネットワーク識別子とを判別する判別工程と、前記判別工程において判別した前記第一、第二のネットワーク識別子と、前記形成工程において形成されたネットワークの第一、第二のネットワーク識別子と、を比較する比較工程と、前記比較工程における比較結果に応じて、前記検出したネットワークに参加する工程と、を有することを特徴とする。
【手続補正１０】
【補正対象書類名】明細書
【補正対象項目名】００１５
【補正方法】変更
【補正の内容】
【００１５】
本発明によれば、同一のネットワークに参加することを意図した複数の通信装置が異なるネットワークを形成してしまった場合でも、同一のネットワークに参加することが可能となり、通信の信頼性やユーザの利便性を高めることができる。